(57)【要約】      （修正有）【課題】容易にバッテリ交換が可能であり、且つそのバッテリ交換に電気工事資格の有無を問わずに誰もがリスク無くバッテリを交換し、その接続作業をすることが可能な作業性を有する構造を提供する。【解決手段】バッテリを内包する、機器の筐体のカバー１と同等の意匠性を有する電池フタ３と任意の意匠性を有する電池ケース４にて構成されたバッテリユニットを、バッテリ交換を有する機器から独立して構成し、これを当該機器の利用者に供給することで、前記の利用者のバッテリ交換をする際の作業を、機器の筐体２から前記機器の筐体のカバー１を外すことなく前記バッテリユニットを前記機器の筐体のカバー１に取り付けるだけの作業とする。【選択図】図１
0003187329.tif 000002
【実用新案登録請求の範囲】
【請求項１】
交換可能なバッテリユニットを搭載する機器の筐体および前記バッテリユニットの構造であって、
前記バッテリユニットは、前記機器の筐体の所定の平面または曲面の形状の一部を為す面の形状である上ケースと、前記機器の筐体の所定の部位に露出している機器側コネクタと接続するバッテリ側コネクタを有する所定のバッテリを収容し、前記機器側へ挿入する側面に前記バッテリ側コネクタを露出させるコネクタ貫通孔が形成された下ケースから構成され、
前記機器の筐体の前記機器側コネクタの近傍の面は、前記バッテリユニットが挿入される部分が欠落した面であって、前記バッテリユニットが挿入された状態で、前記バッテリユニットが挿入される部分が欠落した面と前記バッテリユニットの上ケースにより略一平面または略一曲面を形成する面の構造であることを特徴とする簡易バッテリ交換機能を有する機器の筐体およびバッテリユニットの構造。
【請求項２】
請求項１に記載の構造であって、
前記バッテリユニットは、前記バッテリユニットの前記機器の筐体へ挿入する方向と水平な側面に形成された突起部を有し、
前記機器の筐体は、前記挿入されるバッテリユニットの側面と嵌合する面に、前記バッテリユニットの側面に形成された突起部をスライドさせるレール構造を有することを特徴とする簡易バッテリ交換機能を有する機器の筐体およびバッテリユニットの構造。
【考案の詳細な説明】
【技術分野】
【０００１】
本考案は、交換可能なバッテリユニットを搭載する機器の筐体および前記バッテリユニットの構造であって、利用者が筐体のカバーまたは外装を外すことなく、容易にバッテリ交換が可能な構造を有する筐体に関する。
【背景技術】
【０００２】
従来、この種の機器において、バッテリを交換する際に筐体の電源部のバッテリカバーを外してからバッテリを取り出し、内部のバッテリを交換してからバッテリカバーを元に戻すのが一般的であり、バッテリ交換に手間が掛かっていた（例えば、特許文献１）。
【０００３】
バッテリ（充電電池）を搭載する機器は、消耗または劣化によって使用できなくなったバッテリを利用者が交換することがある。その際、機器を構成する筐体のカバーまたは外装を外してバッテリ交換部を露出させた状態でバッテリ交換を行うが、カバーや外装を外す手間が掛かった。また、機器によってはカバーや外装を外して内部を露出させるため、安全上の都合から電気工事資格者ではないと作業を行ってはいけないという問題があった。さらに、上記カバー及び外装を外すときに部品の紛失や破損のリスクがある問題があった。
【０００４】
他にも、バッテリのコネクタを接続する場所が判然とせず、バッテリ交換後の接続作業が不可能となる問題も想定される。即ち、資格の有無などに関わらず誰もが容易に、またリスク無く、バッテリ交換後の接続作業を行えるような作業性への配慮が不足している。
【先行技術文献】
【特許文献】
【０００５】
【特許文献１】特開２０１０-０４５８０３号公報
【考案の概要】
【考案が解決しようとする課題】
【０００６】
そこで、本考案の課題は、容易にバッテリ交換が可能であり、且つそのバッテリ交換に電気工事資格の有無を問わずに誰もがリスク無くバッテリが交換でき、その接続作業をすることが可能な作業性を有する構造を提供することにある。
【課題を解決するための手段】
【０００７】
上記課題を解決するために、本考案は交換可能なバッテリユニットを搭載する機器の筐体および前記バッテリユニットの構造であって、前記バッテリユニットは、前記機器の筐体の所定の平面または曲面の形状の一部を為す面の形状である上ケースと、前記機器の筐体の所定の部位に露出している機器側コネクタと接続するバッテリ側コネクタを有する所定のバッテリを収容し、前記機器側へ挿入する側面に前記バッテリ側コネクタを露出させるコネクタ貫通孔が形成された下ケースから構成され、前記機器の筐体の前記機器側コネクタの近傍の面は、前記バッテリユニットが挿入される部分が欠落した面であって、前記バッテリユニットが挿入された状態で、前記バッテリユニットが挿入される部分が欠落した面と前記バッテリユニットの上ケースにより略一平面または略一曲面を形成する面の構造であることを特徴とする。
【考案の効果】
【０００８】
本考案によれば、バッテリユニットの一面が筐体の面の一部を為すのでバッテリカバーが不要であり、当該装置の利用者によるバッテリ交換が簡単になるという効果がある。また、当該装置の利用者は、バッテリユニットが収容するバッテリに触れることが無く安全である。そのため、このバッテリユニットの交換に電気工事資格等が不要である。
【０００９】
また、バッテリ交換をする際に、上記バッテリのコネクタ接続先を迷わず接続することが可能となる作業性を提供することが出来る。
【図面の簡単な説明】
【００１０】
【図１】本考案によるバッテリを機器に実装した一実施例を示す斜視図
【図２】本考案によるバッテリをバッテリユニット化する際の一実施例を示す斜視図
【図３】バッテリユニット化した際の一実施例を示す斜視図
【図４】上記図１のものからバッテリユニット３０を外した状態の斜視図
【考案を実施するための形態】
【００１１】
以下、図面を併用して本考案の実施形態について説明する。
【００１２】
図１は本考案によるバッテリユニット３０が機器の筐体のカバー１に装着された状態を示す斜視図である。カバー１は機器の筐体２に実装された基板や内蔵部品を覆い隠すためのカバーである。
【００１３】
尚、本実施例においては、筐体を覆うカバー１に対してバッテリユニット３０を一つ使用しているが、本考案においては筐体を覆うカバーとバッテリユニットが対になることに限るものではなく、カバー１に対して複数のバッテリユニット３０を使用することも適用可能である。
【００１４】
図２は、バッテリ１０を下ケース４に入れ、上ケース３にて蓋をすることを示す図である。
バッテリユニット３０は本考案によるバッテリ１０と、バッテリ１０を包む上ケース３と下ケース４によって構成されるユニットである。
【００１５】
バッテリ１０から延びているコネクタ１１は、バッテリ１０を下ケース４に入れる際に、コネクタ１１を下ケース４の意匠面以外のいずれか任意の場所から出せるようにするために形成されたコネクタ貫通孔５を通して引き出しておく。
【００１６】
上ケース３は、機器の筐体のカバー１の所定の平面または曲面の形状の一部を為す面の形状とするために、筐体のカバー１と同じ材質または同じ表面質感とすることで、図１の様に機器の筐体のカバー１に上ケース３を装着した時に、意匠的な違和感を少なく抑えることができ、そのため機器の筐体のカバー１と上ケース３を１ピース化しなくても良くなる効果がある。
【００１７】
また、下ケース４についても、図１の様に機器の外面に露出する場合は、下ケース４の材質や表面質感を機器の筐体のカバー１と合わせることが望ましくなるが、露出が無い場合は別材質や別の表面質感でも問題が無いため、下ケース４の材質・表面質感についてはどのようなものであっても問わずに本考案の適用が可能である。
【００１８】
図３は、バッテリ１０と上ケース３、下ケース４を一塊にまとめて、且つコネクタ１１を下ケース４に形成されたコネクタ貫通孔５から引き出して、バッテリユニット３０とした状態を示す図である。
【００１９】
尚、本考案の説明では、前記上ケース３と下ケース４に入れるバッテリは１つであるが、上ケース３と下ケース４の大きさを任意で変更することで、複数個のバッテリを入れても本考案を適用できる。
【００２０】
また、当該機器の利用者に対してはバッテリユニット３０の状態で提供することで、利用者はバッテリ１０に直接触れることなく、感電やバッテリ固定のための部品紛失のリスクを無くすことが出来る。
【００２１】
図３では、バッテリユニット３０からバッテリのコネクタ１１が出ていることを示すための図でもある。
尚、本考案では、バッテリユニット３０の側面側に形成されたコネクタ貫通孔５からバッテリのコネクタ１１が出ているが、これは一実施例を示すものであり、例えばバッテリユニットの別側面側に形成されたコネクタ貫通孔からバッテリのコネクタ１１が出ていても本考案は適用可能である。
【００２２】
図４は、図１のものからバッテリユニット３０を外した状態を示す斜視図である。
【００２３】
機器の筐体のカバー１には、バッテリのコネクタ１１を接続するための機器側コネクタ２１を出すための穴が形成されており、その穴から前記機器側コネクタ２１を露出させる。
【００２４】
尚、本考案の説明では装置側面側に機器側のコネクタ２１が向いているが、その向きはバッテリユニット３０から出ているバッテリのコネクタ１１を嵌合できる任意の向きに合わせる。
【００２５】
また、バッテリユニット３０を機器の筐体のカバー１に嵌め込む際のガイドとしてのレール構造２２を示す。
【００２６】
機器の筐体のカバー１に設けられたバッテリユニット３０を筐体のカバー１に取り付ける際のガイドであるレール構造２２は、バッテリユニット３０に形成されたガイド用突起部６の形状に最適化された任意の形状であって、且つ本考案で実施例として説明した形状の他にもバッテリユニット３０を嵌め込む際の位置決めとしての機能を有することに最適化された任意の形状であっても適用可能である。
【００２７】
バッテリユニット３０を機器の筐体のカバー１に取り付ける際に、図４に示す機器の筐体のカバー１に設けられたレール構造２２によってバッテリユニット３０は機器の筐体のカバー１に対して所定の位置に位置決め、またはガイドされることで、バッテリユニット３０から出ているバッテリのコネクタ１１を機器の筐体のカバー１から出ている機器側コネクタ２１の位置に導くことができるため、バッテリ側コネクタ１１の接続先を迷うことなく接続することが出来る。
【００２８】
以上で説明した通り、本考案によれば、バッテリユニット３０を機器の筐体のカバー１に対して機器の筐体カバー１を機器の筐体２から外すことなく取り付ける構造とし、且つ当該機器の利用者に対してバッテリユニット３０の形でバッテリを提供することで、当該機器のバッテリを交換する際に当該機器の内部を露出させることがないため、電気工事資格の有無に関わらず誰でも、且つ容易に、また部品紛失や破損、感電などの危険のリスク無くバッテリを交換できる構造を提供することが出来る。
【符号の説明】
【００２９】
１・・・機器の筐体のカバー
２・・・機器の筐体
３・・・上ケース
４・・・電池ケース
５・・・コネクタ貫通孔
６・・・ガイド用突起部
１０・・・バッテリ
１１・・・バッテリ側コネクタ
２１・・・機器側のコネクタ
２２・・・機器の筐体のカバーに設けられたレール構造
３０・・・上記３，４，１０をアッセンブリして、バッテリユニットとして一纏めにしたもの。
【図１】
0003187329.tif 000003
【図２】
0003187329.tif 000004
【図３】
0003187329.tif 000005
【図４】
0003187329.tif 000006